(57)【要約】【課題】広告宣伝効果の向上を図ると共に、システム構築費用の軽減を可能にする広告掲載システム等を提供する。【解決手段】端末装置１０５（広告提供者）は、広告データ、アンケートの質問データ等を広告掲載サーバ１０１に送信する。端末装置１０３（ユーザ）がネットワーク１０４にアクセスすると、広告掲載サーバ１０１は、端末装置１０３のユーザＩＤ及び掲載優先度情報１１３に基づいて広告データ、質問データ等を抽出し、当該端末装置１０３に表示させ、端末装置１０３からのアンケートの回答に基づいて、当該アンケートについての回答を集計、分析、あるいは、再集計、再分析し、結果を端末装置１０５に送信する。広告掲載サーバ１０１は、アンケートに関する処理、広告掲載に関する処理が終了したことを確認した上で、端末装置１０３と情報サーバ１０２とを接続あるいは端末装置１０３から情報サーバ１０２へのアクセスを可能とする。【選択図】  図１
2004213584.tif 000002
【特許請求の範囲】
【請求項１】
ユーザに属する複数の第１端末装置に第１ネットワークを介して接続される広告掲載サーバであって、
広告データ及び関連する質問データを対応付けて保持する保持手段と、
前記第１端末装置に前記広告データ及び関連する質問データを掲載させる掲載手段と、
前記第１端末装置から前記質問データに対する回答が送られた場合にのみ、所定の情報資源を利用可能とする利用許可手段と、
を具備することを特徴とする広告掲載サーバ。
【請求項２】
前記ユーザの属性に応じて前記広告データ及び関連する質問データを抽出する抽出手段を具備することを特徴とする請求項１に記載の広告掲載サーバ。
【請求項３】
前記質問データに関する回答を集計・分析して回答データとして保持する集計・分析手段を具備することを特徴とする請求項１または請求項２に記載の広告掲載サーバ。
【請求項４】
前記集計・分析手段は、第２ネットワークを介して広告提供者に属する第２端末装置に前記回答データをフィードバックすることを特徴とする請求項３に記載の広告掲載サーバ。
【請求項５】
前記広告データの掲載状況に応じて広告提供者に対する課金を示す課金データを更新して保持する課金手段を具備することを特徴とする請求項１から請求項４までのいずれかに記載の広告掲載サーバ。
【請求項６】
前記課金に関する決済は、第２ネットワークを介して前記広告提供者に属する第２端末装置との間で行われることを特徴とする請求項５に記載の広告掲載サーバ。
【請求項７】
前記第１ネットワークは、イントラネットあるいはエクストラネットであることを特徴とする請求項１から請求項６までのいずれかに記載の広告掲載サーバ。
【請求項８】
前記所定の情報資源は、ソフトウェア、データベース、あるいは、これらのソフトウェア、データベースを提供可能なサーバの少なくともいずれかを含むことを特徴とする請求項１から請求項７までのいずれかに記載の広告掲載サーバ。
【請求項９】
ユーザに属する複数の第１端末装置に第１ネットワークを介して接続される広告掲載サーバが実行する広告掲載方法であって、
広告データ及び関連する質問データを対応付けて保持する保持工程と、
前記第１端末装置に前記広告データ及び関連する質問データを掲載させる掲載工程と、
前記質問データに対する回答が送られた場合にのみ、前記第１端末装置から所定の情報資源を利用可能とする利用許可工程と、
を有することを特徴とする広告掲載方法。
【請求項１０】
ユーザに属する複数の第１端末装置と広告掲載サーバとが第１ネットワークを介して接続され、前記広告掲載サーバと広告提供者に属する複数の第２端末装置とが第２ネットワークを介して接続される広告掲載システムであって、
前記広告掲載サーバは、広告データ及び関連する質問データを対応付けて保持する保持手段と、
前記第１端末装置に前記広告データ及び関連する質問データを掲載させる掲載手段と、
前記質問データに対する回答が送られた場合にのみ、前記第１端末装置から所定の情報資源を利用可能とする利用許可手段と、を具備し、
前記第２端末装置は、前記広告データ及び関連する質問データを前記広告掲載サーバに提供する提供手段を具備することを特徴とする広告掲載システム。
【請求項１１】
コンピュータを請求項１から請求項８までのいずれかに記載の広告掲載サーバとして機能させるプログラム。
【請求項１２】
コンピュータを請求項１から請求項８までのいずれかに記載の広告掲載サーバとして機能させるプログラムを記録した記録媒体。
【発明の詳細な説明】
【０００１】
【発明の属する技術分野】
本発明は、ネットワークを介して広告を掲載する広告掲載システム、広告掲載サーバ等に関する。
【０００２】
【従来の技術】
従来、店舗における商品販売、受注等を促進するための方法として、チラシの配布、ダイレクトメールの送付、テレビ、ラジオ、インターネットを利用した広告宣伝、訪問販売、電話営業等がある。また、マーケィング情報を得るためにアンケート調査を行ったりする。
そして、広告宣伝効果を高め、調査分析を容易に行うべく広告宣伝及び当該広告に関するアンケート調査をインターネット上で行うことが提案されている（例えば、［特許文献１］参照。）。
【０００３】
【特許文献１】
特開２００２−７８８１号公報（段落［０００５］）
【０００４】
【発明が解決しようとする課題】
しかしながら、テレビ、ラジオ、インターネット等での広告宣伝による販売促進方法は、不特定多数を広告宣伝対象としているので、必ずしも効率的な販売促進が期待できない。
また、［特許文献１］が示す技術では、視聴者の属性に応じた広告掲載、アンケート調査を行うことができず、視聴者とは全く接点のない的外れな広告が掲載されてしまう可能性があり、効果的な広告宣伝効果を期待できない。仮に、視聴者の属性に応じた広告掲載を行うために、広告を掲載する協力ホームページを選定をするとしても、その労力的負担は相当なものとなるという問題点がある。さらに、視聴者の属性に応じた広告掲載を行うために、視聴者の属性を予め記録するとしても、個人情報たる視聴者の属性を取得するのは、相当の労力的、費用的負担を伴うという問題点がある。
【０００５】
本発明は、以上の点に鑑みてなされたものであり、広告宣伝効果の向上を図ると共に、システム構築費用の軽減を可能にする広告掲載システム等を提供することを目的とする。
【０００６】
【課題を解決するための手段】
前述した目的を達成するために第１の発明は、ユーザに属する複数の第１端末装置に第１ネットワークを介して接続される広告掲載サーバであって、広告データ及び関連する質問データを対応付けて保持する保持手段と、前記第１端末装置に前記広告データ及び関連する質問データを掲載させる掲載手段と、前記質問データに対する回答が送られた場合にのみ、前記第１端末装置から所定の情報資源を利用可能とする利用許可手段と、を具備することを特徴とする広告掲載サーバである。
【０００７】
また、前記ユーザの属性に応じて前記広告データ及び関連する質問データを抽出する抽出手段を具備するようにしてもよい。
また、前記質問データに関する回答を集計・分析して回答データとして保持するようにしてもよい。
また、第２ネットワーク（インターネット等）を介して広告提供者に属する第２端末装置に前記回答データをフィードバックするようにしてもよい。
また、前記広告データの掲載状況に応じて広告提供者に対する課金を示す課金データを更新して保持するようにしてもよい。
また、前記課金に関する決済は、第２ネットワークを介して前記広告提供者に属する第２端末装置との間で行われるようにしてもよい。
また、前記第１ネットワークは、イントラネットあるいはエクストラネットとしてもよい。
また、前記所定の情報資源は、ソフトウェア、データベース、あるいは、これらのソフトウェア、データベースを提供可能なサーバの少なくともいずれかを含むようにしてもよい。
【０００８】
第１の発明では、第２端末装置（広告提供者）は、広告データ及びアンケート質問データ、掲載優先度情報を広告掲載サーバ（管理部門）に提供する。
広告掲載サーバは、第１端末装置（ユーザ）の属性、掲載優先度情報に基づいて、広告データ及びアンケート質問データを抽出して第１端末装置に掲載させ、第１端末装置から送られたアンケート回答を集計・分析して作成した回答データを第２端末装置に送信する。また、広告掲載サーバは、広告データ掲載・表示及びアンケート回答が送られた場合にのみ、第１端末装置に所定の情報資源（アプリケーションサーバ等）にアクセスさせる。
【０００９】
近年、会社内のみならずグループ企業間、系列企業間等において、情報の授受、データベースの共有等を図るため、クローズされたネットワーク、いわゆる、イントラネット、エクストラネットが利用されている。しかしながら、イントラネット、エクストラネット等を導入するに当たっては、初期費用、運用コスト等の相当の負担を要する。
【００１０】
第１の発明では、システム管理部門は、広告提供者から課金（広告掲載料金）を徴収できるので、イントラネット、エクストラネット等の構築に係る初期費用、運用コスト等の負担を軽減することができる。
また、広告提供者は、ユーザの属性に応じて広告掲載を行うことができるので、ターゲットを絞った効率的な広告掲載、宣伝効果の向上が期待でき、また、ユーザから確実にアンケート回答、当該アンケートの集計・分析結果が得られるので、効率的な営業活動を行うことが可能となる。
また、ユーザ情報については、イントラネット、エクストラネット等にアクセスするユーザの属性情報を用いることができるので、通常行われるような不特定多数から個人情報を取得する場合と異なり、広告提供者側はユーザの属性情報を予め取得する必要がない。
【００１１】
第２の発明は、ユーザに属する複数の第１端末装置に第１ネットワークを介して接続される広告掲載サーバが実行する広告掲載方法であって、広告データ及び関連する質問データを対応付けて保持する保持工程と、前記第１端末装置に前記広告データ及び関連する質問データを掲載させる掲載工程と、前記質問データに対する回答が送られた場合にのみ、前記第１端末装置から所定の情報資源を利用可能とする利用許可工程と、を有することを特徴とする広告掲載方法である。
第２の発明は、第１の発明における広告掲載サーバが実行する広告掲載方法に関する発明である。
【００１２】
第３の発明は、ユーザに属する複数の第１端末装置と広告掲載サーバとが第１ネットワークを介して接続され、前記広告掲載サーバと広告提供者に属する複数の第２端末装置とが第２ネットワークを介して接続される広告掲載システムであって、前記広告掲載サーバは、広告データ及び関連する質問データを対応付けて保持する保持手段と、前記第１端末装置に前記広告データ及び関連する質問データを掲載させる掲載手段と、前記質問データに対する回答が送られた場合にのみ、前記第１端末装置から所定の情報資源を利用可能とする利用許可手段と、を具備し、前記第２端末装置は、前記広告データ及び関連する質問データを前記広告掲載サーバに提供する提供手段を具備することを特徴とする広告掲載システムである。
【００１３】
第４の発明は、コンピュータを第１の発明の広告掲載サーバとして機能させるプログラムである。
第５の発明は、コンピュータを第１の発明の広告掲載サーバとして機能させるプログラムを記録した記録媒体である。
上述のプログラムをＣＤ−ＲＯＭ等の記録媒体に保持させて流通させてもよいし、このプログラムを通信回線を介して送受することもできる。
【００１４】
【発明の実施の形態】
以下に、添付図面を参照しながら、本発明に係る広告掲載システム等の好適な実施形態について詳細に説明する。なお、以下の説明及び添付図面において、略同一の機能構成を有する構成要素については、同一の符号を付することにより重複説明を省略することにする。
【００１５】
図１は、本発明の実施の形態に係る広告掲載システム１００の概略構成を示す図である。
図１に示すように、広告掲載システム１００は、広告掲載サーバ１０１、複数の端末装置１０３がネットワーク１０４を介して接続されて構成される。
また、広告掲載サーバ１０１がネットワーク１０６を介して複数の端末装置１０５と接続され、情報サーバ１０２が広告掲載サーバ１０１、ネットワーク１０４を介して端末装置１０３に接続される。
【００１６】
広告掲載サーバ１０１は、管理部門１５１に属するサーバコンピュータ等であり、端末装置１０５から提供された広告データ等を端末装置１０３に表示、掲載させる。
広告掲載サーバ１０１は、ユーザ情報１１１、広告情報１１２、掲載優先度情報１１３等をデータベース１１０に保持する。ユーザ情報１１１、広告情報１１２、掲載優先度情報１１３については、後述する。
【００１７】
情報サーバ１０２は、グループ１５７あるいは管理部門１５１に設けられるサーバコンピュータ等であり、ネットワーク１０４にアクセスする端末装置１０３にアプリケーションソフトウェア、ＷＥＢアプリケーション、データベースの提供等を行う。また、情報サーバ１０２をＡＳＰ（Ａｐｐｌｉｃａｔｉｏｎ  Ｓｅｒｖｉｃｅ  Ｐｒｏｖｉｄｅｒ）として運用することもできる。
【００１８】
端末装置１０３は、ユーザ１５３に属するコンピュータ、携帯情報端末、携帯電話等である。端末装置１０３は、ネットワーク１０４、広告掲載サーバ１０１を介して情報サーバ１０２にアクセスして、アプリケーションソフトウェア、データベース等を利用する。
端末装置１０５は、広告提供者１５５に属するコンピュータ、携帯情報端末、携帯電話等である。端末装置１０５は、ネットワーク１０６を介して広告掲載サーバ１０１にアクセスして、広告データ、アンケートの質問データを提供したり、アンケートの回答データを取得したりする。
【００１９】
なお、広告掲載サーバ１０１、情報サーバ１０２、端末装置１０３、端末装置１０５は汎用のコンピュータで構成可能である。この場合、広告掲載サーバ１０１、情報サーバ１０２、端末装置１０３、端末装置１０５は、それぞれ、ＣＰＵ等の制御部（図示しない）、ワークメモリとしてのＲＡＭ等の一時記憶部（図示しない）、後述するフローチャートの動作を実現するためのプログラムが格納されるハードディスク、ＲＯＭ等の記憶部（図示しない）等を有しており、プログラムを制御部が実行することで各機能、各動作が実現される。また、各サーバ、端末装置は、キーボード、マウス、テンキー、ドライブ装置、印刷装置等の入出力部（図示しない）、ディスプレイ等の表示部（図示しない）等を有しており、各種データ、各種情報の入出力、表示を行うことができる。
【００２０】
ネットワーク１０４は、グループ１５７内の端末装置１０３のみがアクセス可能なネットワークであり、例えば、ＬＡＮ（ローカルエリアネットワーク）、イントラネット、エクストラネットである。
イントラネットは、ＷＷＷ（ワールド・ワイド・ウェブ）、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等のインターネットで普及している技術を使って構築されたＬＡＮである。インターネットとの大きな違いは、社内のみ等の限定されたネットワークの利用となっている点である。
エクストラネットは、イントラネットを接続して、イントラネット同士でお互いに通信できるようにしたネットワークである。インターネットのようにオープンではないがイントラネットよりは広域な限定されたネットワークである。エクストラネットは、例えば、グループ企業間、フランチャイズ、メーカ及び販売会社間等において利用される。
【００２１】
ネットワーク１０６は、インターネット等のネットワークであり、有線、無線を問わない。また、安全かつ円滑な通信を担保するため、インターネット等の公衆が利用可能なネットワークではなく、ネットワーク１０６として、専用線、ＯＢＮ（Ｏｐｅｎ  Ｂｕｓｉｎｅｓｓ  Ｎｅｔｗｏｒｋ）、インターネットＶＰＮ（Ｖｉｒｔｕａｌ  Ｐｒｉｖａｔｅ  Ｎｅｔｗｏｒｋ）等を利用するようにしてもよい。
尚、ネットワーク１０４についても、専用線、ＯＢＮ、インターネットＶＰＮ等を利用するようにしてもよい。
【００２２】
管理部門１５１は、広告掲載サーバ１０１の運用業務を行うシステム管理部門等である。また、管理部門１５１は、広告提供者１５５から広告掲載料金（課金）を徴収したりする。
ユーザ１５３は、グループ１５７に属し、ネットワーク１０４にアクセスする権限を有するユーザである。
【００２３】
尚、ユーザ１５３及びグループ１５７の形態は様々である。例えば、グループ１５７が法人、団体等である場合、ユーザ１５３は、社員、構成員、部課、部門等であり、グループ１５７がグループ企業、系列企業等である場合、ユーザ１５３は、本社、支社、本店、支店、関連会社、あるいはこれらの従業員等であり、グループ１５７がフランチャイズチェーン等である場合、ユーザ１５３は、本部、支部、営業部、店舗、フランチャイザ、フランチャイジ、あるいはこれらの従業員等である。
広告提供者１５５は、広告の提供者であり、例えば、スポンサ企業、広告代理店等である。広告提供者１５５は、管理部門１５１に対して、ユーザ１５３の端末装置１０３上に広告掲載を依頼する。
【００２４】
広告提供者１５５は、広告掲載代金として課金（広告掲載料金）を管理部門１５１に支払うことにより、広告をユーザ１５３の端末装置１０３上に掲載することができる。管理部門１５１は、広告提供者１５５から徴収した課金（広告掲載料金）をグループ１５７におけるネットワーク１０４に係るシステム構築の費用に充当することができる。
【００２５】
次に、図２〜図４を参照しながら、広告掲載サーバ１０１がデータベース１１０に保持するユーザ情報１１１、広告情報１１２、掲載優先度情報１１３について説明する。
【００２６】
図２は、ユーザ情報１１１の概略構成図である。
ユーザ情報１１１は、ユーザの属性に関する情報等を記録する。
図２に示すユーザ情報１１１は、ユーザＩＤ２０１、ユーザ属性２０７等の各フィールドを有する。また、ユーザの認証に用いるパスワード等のフィールドを設けてもよい。
【００２７】
ユーザＩＤ２０１は、ユーザを特定するための文字、図形、記号等からなる符号列であり、例えば、「Ｕ０１」である。
ユーザ属性２０７は、ユーザの属性を示すものであり、例えば、ユーザ名２０２、所属２０３、会社種別２０４、担当職２０５、性別２０６等の各フィールドを有する。
所属２０３は、ユーザの所属であり、例えば、「本店営業部部長」である。
ユーザ名２０２は、ユーザの名称であり、例えば、「山田一郎」である。
会社種別２０４は、ユーザが所属する会社等の種別であり、例えば、「本店」「支店」「営業所」「店舗」である。
担当職２０５は、ユーザの担当職を示すものであり、例えば、「採用担当」「なし」である。
性別２０６は、ユーザの性別である。
【００２８】
図３は、広告情報１１２の概略構成図である。
広告情報１１２は、広告に関する情報、アンケートに関する情報、広告提供者に関する情報、課金（広告掲載料金）に関する情報等を記録する。
図３に示す広告情報１１２は、広告テーブル３１１、広告提供者テーブル３１２、対応テーブル３１３を有する。
【００２９】
広告テーブル３１１は、広告ＩＤ３０１、広告タイトル３０２、広告データ３０３、質問データ３０４、回答データ３０５等の各フィールドを有する。
広告ＩＤ３０１は、広告を特定するための文字、図形、記号等からなる符号列であり、例えば、「ＡＤ０１」である。
広告タイトル３０２は、広告のタイトル等であり、端末装置１０３に広告メニューの項目として表示されるものである。広告タイトル３０２は、例えば、「社内旅行」「事務用品」「人材派遣」である。
広告データ３０３は、広告のデータファイルあるいはその参照先であり、例えば、「ａｄ００１．ｄａｔ」である。尚、広告データは、端末装置１０３上に掲載・表示可能であれば、テキストデータ、画像データ、動画データ等、様々な形態を採用することができる。
質問データ３０４は、アンケート質問のデータファイルあるいはその参照先であり、例えば、「ｑ−００１．ｄａｔ」である。
回答データ３０５は、アンケート回答の集計結果・分析結果についてのデータファイルあるいはその参照先であり、例えば、「ａ−００１．ｄａｔ」である。
【００３０】
広告提供者テーブル３１２は、広告提供者ＩＤ３０６、広告提供者名３０７、課金データ３０８等の各フィールドを有する。また、広告提供者の認証に用いるパスワード等のフィールドを設けてもよい。
広告提供者ＩＤ３０６は、広告提供者を特定するための文字、図形、記号等からなる符号列であり、例えば、「Ｓ０１」である。
広告提供者名３０７は、広告提供者の名称等であり、例えば、「Ａ広告」「Ｃスタッフ」「Ｅエージェンシー」である。
課金データ３０８は、広告提供者が管理部門に負う広告掲載料金であり、例えば、「￥２００，０００（徴収済）、￥１００，０００（未徴収）」である。
【００３１】
対応テーブル３１３は、広告ＩＤ３０１及び広告提供者ＩＤ３０６を対応付け、広告テーブル３１１と広告提供者テーブル３１２とをリレーションさせる。
【００３２】
図４は、掲載優先度情報１１３の概略構成図である。
掲載優先度情報１１３は、広告毎に掲載対象を示したり、ユーザの属性毎に広告掲載の優先度を示すものである。
図４に示す掲載優先度情報１１３は、広告ＩＤ４０１、優先度４０２等の各フィールドを有する。
【００３３】
広告ＩＤ４０１は、広告情報１１２の広告ＩＤ３０１と同様のものであり、これにより広告情報１１２と掲載優先度情報１１３とがリレーションされる。
優先度４０２は、ユーザ属性毎に広告掲載の優先度を示すものであり、例えば、「○（掲載する）」「×（掲載しない）」である。また、優先度は、順位、点数、ポイント等により定めるようにしてもよい。
【００３４】
次に、図５〜図９を参照しながら本発明の実施の形態に係る広告掲載システムの動作について説明する。
【００３５】
図５を参照しながら、広告データ及び質問データの登録における、端末装置１０５（広告提供者１５５）、広告掲載サーバ１０１（管理部門１５１）の動作について説明する。
図５は、広告データ及び質問データの登録における、端末装置１０５（広告提供者１５５）、広告掲載サーバ１０１（管理部門１５１）の動作を示すフローチャートである。
【００３６】
端末装置１０５は、広告提供者ＩＤ及びパスワードを広告掲載サーバ１０１に送信し（ステップ５０１）、広告掲載サーバ１０１は、認証を行う（ステップ５０２）。
端末装置１０５は、広告データ及びアンケートの質問データを広告掲載サーバ１０１に送信し、掲載依頼を行う（ステップ５０３）。広告掲載サーバ１０１は、広告データに広告ＩＤを付与し、広告データと質問データとを対応付けてデータベース１１０の広告情報１１２に登録、記録する（ステップ５０４）。
端末装置１０５は、ユーザの属性毎に広告掲載の優先度を設定し、広告掲載サーバ１０１に送信する（ステップ５０５）。広告掲載サーバ１０１は、ユーザの属性毎に広告掲載の優先度をデータベース１１０の掲載優先度情報１１３に登録、記録する（ステップ５０６）。
【００３７】
以上の過程を経て、端末装置１０５（広告提供者１５５）は、広告データ、当該広告の掲載優先度、アンケートの質問データ等を広告掲載サーバ１０１に登録する。
【００３８】
図６、図８及び図９を参照しながら、広告掲載処理及びアンケート処理における、端末装置１０３（ユーザ１５３）、広告掲載サーバ１０１（管理部門１５１）の動作について説明する。
図６は、広告掲載処理及びアンケート処理における、端末装置１０３（ユーザ１５３）、広告掲載サーバ１０１（管理部門１５１）の動作を示すフローチャートである。
図８及び図９は、図６に示す処理における、端末装置１０３（ユーザ１５３）の表示画面の一態様を示す図である。
【００３９】
端末装置１０３は、ユーザＩＤ及びパスワードを広告掲載サーバ１０１に送信する（ステップ６０１、図８：Ｓ８０１）。
広告掲載サーバ１０１は、認証を行い（ステップ６０２）、ユーザＩＤ及び掲載優先度情報１１３に基づいて、広告情報１１２から広告タイトル（広告ＩＤ）を抽出して端末装置１０３に送信する（ステップ６０３）。
端末装置１０３は、広告メニュー項目として広告タイトル（広告ＩＤ）を表示し（ステップ６０４、図８：Ｓ８０２）、広告メニュー項目から広告タイトル（広告ＩＤ）を選択して広告掲載サーバ１０１に送信する（ステップ６０５、図８：Ｓ８０２）。
【００４０】
広告掲載サーバ１０１は、広告タイトル（広告ＩＤ）に基づいて、広告情報１１２からアンケートの質問データを抽出して端末装置１０３に送信する（ステップ６０６）。
端末装置１０３は、アンケートの質問データを表示し（ステップ６０７、図８：Ｓ８０３）、アンケートの回答を入力して広告掲載サーバ１０１に送信する（ステップ６０８、図８：Ｓ８０３）。
広告掲載サーバ１０１は、アンケートの回答に基づいて、当該アンケートについての回答を集計、分析、あるいは、再集計、再分析し、その結果を広告情報１１２の回答データに記録、更新する（ステップ６０９）。尚、集計・分析データと共に回答の元データをそのまま記録するようにしてもよい。
【００４１】
広告掲載サーバ１０１は、広告タイトル（広告ＩＤ）に基づいて、広告情報から広告データを抽出して端末装置１０３に送信する（ステップ６１０）。
端末装置１０３は、広告データを表示する（ステップ６１１、図９：Ｓ８０４）。
広告掲載サーバ１０１は、広告情報１１２の課金データ（広告掲載料金）を記録、更新する（ステップ６１２）。
【００４２】
広告掲載サーバ１０１は、アンケートに関する処理（ステップ６０６〜ステップ６０９）、広告掲載に関する処理（ステップ６１０〜ステップ６１２）が終了したことを確認した上で、端末装置１０３と情報サーバ１０２とを接続あるいは端末装置１０３から情報サーバ１０２へのアクセスを可能とする（ステップ６１３）。
【００４３】
端末装置１０３は、情報サーバ１０２にアクセスしてアプリケーションの利用を要求する（ステップ６１４、図９：Ｓ８０４）。
情報サーバ１０２は、端末装置１０３にアプリケーションソフトウェアによるサービスを提供する（ステップ６１５）。端末装置１０３は、当該端末装置上でアプリケーションを利用する（ステップ６１６、図９：Ｓ８０５）。
尚、アンケート処理（ステップ６０６〜ステップ６０９）、広告掲載処理（ステップ６１０〜ステップ６１２）の処理順序は、入れ替えてもよい。
【００４４】
図７を参照しながら、アンケート回答データの取得処理における、端末装置１０５（広告提供者１５５）、広告掲載サーバ１０１（管理部門１５１）の動作について説明する。
図７は、アンケート回答データの取得処理における、端末装置１０５（広告提供者１５５）、広告掲載サーバ１０１（管理部門１５１）の動作を示すフローチャートである。
【００４５】
端末装置１０５は、広告提供者ＩＤ及びパスワードを広告掲載サーバ１０１に送信し（ステップ７０１）、広告掲載サーバ１０１は、認証を行う（ステップ７０２）。
端末装置１０５は、広告掲載サーバ１０１にアンケート回答データを要求する（ステップ７０３）。
広告掲載サーバ１０１は、広告提供者ＩＤ、広告情報１１２に基づいて、アンケートの回答データを抽出して端末装置１０５に送信する（ステップ７０４）。
端末装置１０５は、アンケートの回答データを表示する（ステップ７０５）。
【００４６】
以上、図６及び図７に示した過程を経て、広告掲載サーバ１０１は、端末装置１０３（ユーザ１５３）に対して、アンケートへの回答、広告掲載・広告表示をさせた上で、端末装置１０３から情報サーバ１０２へのアクセスを可能とする。また、広告掲載サーバ１０１は、アンケートへの回答を集計、分析して回答データを記録、更新し、端末装置１０５（広告提供者１５５）にアンケートの回答データをフィードバックする。
【００４７】
以上説明したように、端末装置１０３（ユーザ１５３）は、情報サーバ１０２にログインしてアプリケーション等を利用する際は、必ず、広告掲載・広告表示を行うので、広告提供者１５５は、より効果的、効率的な広告効果を期待できる。
尚、端末装置１０３（ユーザ１５３）に掲載・表示する広告は、掲載優先度情報１１３に基づいて、ユーザの属性に適合した広告が抽出される。
すなわち、ユーザの属性に応じて、広告掲載内容を変化させることができ、広告掲載のターゲットを絞ることができる。例えば、人材派遣業に関する広告は、採用権限を有するユーザに対してのみ掲載・表示するようにしたりすることができる。
【００４８】
また、端末装置１０３（ユーザ１５３）は、情報サーバ１０２にログインしてアプリケーション等を利用する際は、必ず、アンケートへの回答を行い、端末装置１０５（広告提供者１５５）は、アンケート回答の集計データ、分析データ等が得られるので、広告提供者１５５は、有用なマーケティング情報を取得することができる。すなわち、広告提供者１５５は、アンケートの回答データを参照することにより、ターゲットを絞った、確度の高い、効率的な営業活動を行うことができる。
【００４９】
尚、広告掲載サーバ１０１は、アンケートの回答データを端末装置１０５に送信する際（図７：ステップ７０４）、広告情報１１２の課金データを参照して、広告掲載料金の支払い状況を考慮して、アンケートの回答データを端末装置１０５に送信するか否かを決定するようにしてもよい。この場合、例えば、所定の未払い金があるときは、アンケートの回答データの送信を行わないようにすることができる。
【００５０】
また、広告提供者１５５は、広告掲載代金として課金（広告掲載料金）を管理部門１５１に支払うことにより、広告をユーザ１５３の端末装置１０３上に掲載する。管理部門１５１は、広告提供者１５５から徴収した課金（広告掲載料金）をグループ１５７におけるネットワーク１０４に係るシステム構築の費用に充当することができる。従って、管理部門１５１、グループ１５７は、ネットワーク１０４に係るシステム構築及びシステム運用に係る負担を軽減することができる。
【００５１】
尚、課金（広告掲載料金）の処理については、クレジットカード、電子マネー、ネットバンキング等を利用して、ネットワーク１０６を介して、広告掲載サーバ１０１〜端末装置１０５間で行うようにしてもよい。
【００５２】
また、ユーザ情報については、イントラネット、エクストラネット等にアクセスするユーザの属性情報を用いることができるので、通常行われるような不特定多数から個人情報を取得する場合と異なり、広告提供者側は予めユーザの属性情報を取得する必要がない。
【００５３】
以上、添付図面を参照しながら、本発明に係る広告掲載システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００５４】
上述の実施の形態において、情報サーバ１０２は、アプリケーションソフトウェアを提供するサーバとして説明したがこれに限られない。例えば、ソフトウェア、データベース、これらのソフトウェア、データベースを提供するサーバ、ＷＥＢサーバ等であってもよい。
【００５５】
また、上述の実施の形態において、図２〜図４を用いて、広告掲載サーバ１０１が有するデータベース１１０について説明したが、データベースの構成はこれに限られず、様々な構成を採用することができる。
【００５６】
また、上述の実施の形態において、広告掲載サーバ１０１及び情報サーバ１０２は、グループ１５７内の管理部門１５１に設けられるものとして説明したが、グループ外のシステム管理会社等に設けるようにしてもよい。この場合、広告掲載サーバのみをグループ外に設け、情報サーバについてはグループ内に設けるようにすることもできる。
【００５７】
また、図５〜図７等に示す処理を行うプログラムはＣＤ−ＲＯＭ等の記録媒体に保持させて流通させてもよいし、このプログラムを通信回線を介して送受することもできる。
【００５８】
【発明の効果】
以上、詳細に説明したように本発明によれば、広告宣伝効果の向上を図ると共に、システム構築費用の軽減を可能にする広告掲載システム等を提供することができる。
【図面の簡単な説明】
【図１】広告掲載システム１００の概略構成を示す図
【図２】ユーザ情報１１１の概略構成図
【図３】広告情報１１２の概略構成図
【図４】掲載優先度情報１１３の概略構成図
【図５】広告データ及び質問データの登録における、端末装置１０５、広告掲載サーバ１０１の動作を示すフローチャート
【図６】広告掲載処理及びアンケート処理における、端末装置１０３、広告掲載サーバ１０１の動作を示すフローチャート
【図７】アンケート回答データの取得処理における、端末装置１０５、広告掲載サーバ１０１の動作を示すフローチャート
【図８】図６に示す処理における、端末装置１０３の表示画面の一態様を示す図
【図９】図６に示す処理における、端末装置１０３の表示画面の一態様を示す図
【符号の説明】
１００………広告掲載システム
１０１………広告掲載サーバ
１０２………情報サーバ
１０３………端末装置（ユーザ）
１０４………ネットワーク（イントラネット、エクストラネット）
１０５………端末装置（広告提供者）
１０６………ネットワーク（インターネット）
１１０………データベース
１１１………ユーザ情報
１１２………広告情報
１１３………掲載優先度情報
１５１………管理部門
１５３………ユーザ
１５５………広告提供者
１５７………グループ
【図１】
2004213584.tif 000003
【図２】
2004213584.tif 000004
【図３】
2004213584.tif 000005
【図４】
2004213584.tif 000006
【図５】
2004213584.tif 000007
【図６】
2004213584.tif 000008
【図７】
2004213584.tif 000009
【図８】
2004213584.tif 000010
【図９】
2004213584.tif 000011